(57)【要約】      （修正有）【課題】接触状態において少なくとも一つのケーブル導体を受け入れる装置を提供する。【解決手段】装置は、サポート５０上に配置され、少なくとも一つのケーブル導体３００を受け入れるために方向付けされた少なくとも二つの絶縁ピアスコンタクトと、少なくとも一つのケーブル導体を受け入れると共に案内し、少なくとも一つのケーブル導体を絶縁ピアスコンタクトに接触させるために使用されるフード要素２００と、を備える。サポート上には配設された第１の係止要素がフード要素上に配置された第２の係止要素（係止孔２３３，２３４）と相互作用し、フード要素の係止要素を第１の係止要素で係止し、同時に少なくとも一つのケーブル導体と絶縁ピアスコンタクトとを電気的に接触させることによって、フード要素をサポート上に接続する装置において、ケーブル導体が、フード要素内に直接的に挿入され、かつ、位置決めされる。【選択図】図２ａ
0003200755.tif 000002
【実用新案登録請求の範囲】
【請求項１】
接触状態において少なくとも一つのケーブル導体（３００）を受け入れる装置であって、
サポート上に配置され、少なくとも一つのケーブル導体を受け入れるために方向付けされた少なくとも二つの絶縁ピアスコンタクト（１０１，１０２）と、
少なくとも一つのケーブル導体（３００）を受け入れると共に案内し、少なくとも一つのケーブル導体（３００）を絶縁ピアスコンタクト（１０１，１０２）に接触させるために使用されるフード要素（２００，２００’）と、を備え、
サポート（５０）上には第１の係止要素（１１１，１１２）が配設され、
第１の係止要素はフード要素（２００，２００’）上に配置された第２の係止要素（２３３，２３４）と相互作用し、フード要素の係止要素を第１の係止要素（１1１，１1２）で係止し、同時に少なくとも一つのケーブル導体（３００）と絶縁ピアスコンタクト（１０１，１０２）とを電気的に接触させることによって、フード要素（２００，２００’）をサポート上に接続する装置において、
ケーブル導体（３００）が、フード要素（２００，２００’）内に直接的に挿入され、かつ、位置決めされ、
サポート（５０）上で、前記第１の係止要素（１１１，１１２）と前記絶縁ピアスコンタクト（１０１，１０２）とが共通の基板（１００）に配置され、前記第１の係止要素（１１１，１１２）と前記絶縁ピアスコンタクト（１０１，１０２）とのなす角が９０°であり、
前記共通の基板（１００）、前記絶縁ピアスコンタクト（１０１，１０２）及び前記第１の係止要素（１１１，１１２）の全てが、スタンプされた一つの部品の個々の部分であることを特徴とする装置。
【請求項２】
前記サポート（５０）がプリント回路基板であり、前記基板（１００）がはんだ接合によって前記プリント回路基板に配置されていることを特徴とする請求項１に記載の装置。
【請求項３】
フード要素（２００，２００’）は、少なくとも一つのケーブル導体（３００）を受け入れると共に案内する二つの整列された孔（２１０）を備えることを特徴とする請求項１又は２に記載の装置。
【請求項４】
フード要素（２００，２００’）が係止孔（２３３，２３４）を備えることを特徴とする請求項１〜３の何れか一項に記載の装置。
【請求項５】
フード要素（２００，２００’）は、その上面が平坦であり、自動化部品の配置のために使用される吸い込みピペットを受け入れる領域（２０５）を備えることを特徴とする請求項１〜４の何れか一項に記載の装置。
【請求項６】
フード要素（２００，２００’）は三つの側で方向付けするベベルを備えることを特徴とする請求項１〜５の何れか一項に記載の装置。
【請求項７】
フード要素（２００’）にケーブルストップ（２６０）が設けられ、ケーブルストップ（２６０）は、ケーブル端部を保護し、絶縁し、端部カバーを形成することを特徴とする請求項１〜６の何れか一項に記載の装置。
【請求項８】
ケーブルストップ（２６０）は、フード要素（２００’）に一体的に接続していることを特徴とする請求項７に記載の装置。
【請求項９】
フード要素（２００，２００’）がプラスチックで構成されていることを特徴とする請求項１〜８の何れか一項に記載の装置。
【考案の詳細な説明】
【技術分野】
【０００１】
本考案は、請求項１の前提部分に記載の特徴を有し、接触状態において少なくとも一つのケーブル導体を受け入れる装置に関する。
このような装置は、特にプリント回路基板上でケーブル導体の接続及び電気的接合のために使用される。
【背景技術】
【０００２】
このような装置は、例えば特許文献１で開示されている。基本モジュールは、この装置に設けられ、フード要素が導電接触フードとして示されている。絶縁ピアスコンタクトは基本モジュールに設けられ、コンタクトは、導体案内要素にそれぞれ導かれるケーブル導体と電気的に接合するために用いられている。導体案内要素は導体コンタクトフード内に配置される。導体コンタクトフード及び基本モジュールは、導体コンタクトフード及び基本モジュールを接続する係止要素を備える。ケーブル導体との電気的接合は、導体コンタクトフードを基本モジュールで係止することによって、絶縁ピアスコンタクトによって行われる。
【０００３】
この装置では、ケーブル導体が提供された導体案内要素に配置されることが必要であり、導体案内要素がフード要素に別々に設けられた孔に挿入されることが必要である、という問題がある。このような実装作業は骨の折れることであり、容易に自動化できない多くのステップを必要とする。
【先行技術文献】
【特許文献】
【０００４】
【特許文献１】独国特許出願公開第202008000941号明細書
【考案の概要】
【考案が解決しようとする課題】
【０００５】
したがって、本考案は、上述した装置をさらに改良することに基づいており、実装作業及びケーブル導体の電気的接合を容易にし、自動化された実装作業を可能にする。
【課題を解決するための手段】
【０００６】
この目的は、請求項１の特徴を有し、接触状態において少なくとも一つのケーブル導体を受け入れる装置によって達成される。
【０００７】
本考案による装置は、ケーブル導体がフード要素内に直接的に挿入されると共に配置される有利な効果を奏する。「直接的に挿入され配置されると共に」という用語は、例えば、ケーブル導体を保持し、位置決めするために、導体案内要素又は他の要素を使用することが必ずしも必要ないことを意味する。その代わりに、ケーブル導体は、フード要素内に直接的に配置され、サポート上に配置された係止要素によってサポート上で係止することによって固定され、同時にフード要素内に配置されたケーブル導体は絶縁ピアスコンタクトと電気的に接触する。
【０００８】
従属請求項で記載されている特徴は、独立請求項で記載されている装置を更なる改良に導く。
【０００９】
有利な実施形態は、サポート上に配置された第１の係止要素が、互いの後ろに連続して整列して配置された絶縁ピアスコンタクトに対して９０゜の角度でオフセットし、共通の基板上に配置されていることを提供する。この方法で、係止要素と絶縁ピアスコンタクトが互いに一体的に接続するため、安定性は実質的に増加する。特に好ましい実施形態は、共通の基板、絶縁ピアスコンタクト及び第１の係止要素が、一つのスタンプされた部品の部分であることを提供する。これは、絶縁ピアスコンタクト及び係止要素の自動化生産を容易にする。基板、絶縁ピアスコンタクト及び係止要素の一体化した構成の結果として、全体構成及び特に係止要素の高い安定性が確保される。この場合、係止要素は金属から構成され、係止要素がプラスチックからなる従来の装置において生じるような破損などを実質的に防ぐ。
【００１０】
基板は、はんだ接合によってプリント回路基板に配置され、それによって電気的に接合することが好ましい。結果として、絶縁ピアスコンタクト及び係止要素は、プリント回路基板にワンパスで（in one pass）固定され、同時に、プリント回路基板又は同種のものの上に配置されたストリップ導体と絶縁ピアスコンタクトとの電気的接続が行われる。
【００１１】
要約すると、絶縁ピアスコンタクト及びに対して９０゜オフセットして配置された係止要素の構成、及び係止要素、絶縁ピアスコンタクト及び基板の一体化した構成、及び係止要素を有する絶縁ピアスコンタクトの基板による固定の結果として、高安定性、優れた電気的接合及び係止要素の強さに関して、相乗効果が得られる。
【００１２】
フード要素は、少なくとも一つのケーブル導体を収容し案内する二つの整列された孔を備えることが好ましく、孔はケーブル導体の外形に対して調整されることが好ましい。整列された構成の結果として、ケーブル導体はフード要素内でそれぞれの位置で配置され、案内される。フード要素は、第１の係止要素のための係止孔を更に備える。
【００１３】
本考案による装置の関連性のある有利な効果は、フード要素の上側における平坦な構成である。これによって、自動化部品の配置のために使用される吸い込みピペットを収容する受け入れ領域を形成する。これは、絶縁ピアスコンタクトと係止要素を介してフード要素の自動位置決めを可能にする。
【００１４】
アライメントを特徴付け、三つの側において方向付けをするベベルを備えるフード要素の形状は、短い時間での部品配置のために使用される。結果として、フード要素は、絶縁ピアスコンタクトの上の正しい位置に短い時間で配置されることができる。フード要素の上側に配置された様々な形状及び大きさの孔は、より容易に位置決めするために使用される。
【００１５】
より有利な実施形態は、フード要素が、ケーブル端部を保護し、それを絶縁し、端部カバーを形成するケーブルストップを備えることを提供する。
【００１６】
ケーブル端部は、フード要素に一体的に接続されることが好ましい。
【００１７】
フード要素は、プラスチックで構成され、したがって電気的絶縁を提供する。
【００１８】
本考案の実施形態は、図面に示され、以下の説明を参照することによってより詳細に説明される。
【図面の簡単な説明】
【００１９】
【図１ａ】接触状態において少なくとも一つのケーブル導体を受け入れるための本考案による装置のプリント回路基板上に配置された絶縁ピアスコンタクトと係止要素の斜視図である。
【図１ｂ】接触状態において少なくとも一つのケーブル導体を収容するための本考案による装置のフード要素の斜視図である。
【図２ａ】本考案による装置手段によるケーブル導体の実装と電気的接合を示す図である。
【図２ｂ】実装されたケーブル導体の位置を示す図である。
【図３】最後の実装状態において、本考案による装置の他の実施形態の斜視図である。
【考案を実施するための形態】
【００２０】
図１ａ及び１ｂにおいて、取り外された状態で示されており、接触状態において少なくとも一つのケーブル導体を受け入れる装置は、サポート５０上に配置されている二つの絶縁ピアスコンタクト１０１，１０２を備える。第１の係止要素１１１，１１２は、絶縁ピアスコンタクト１０１，１０２に対して９０゜オフセットして配置されている。図１ａに示されるように、絶縁ピアスコンタクト１０１，１０２と係止要素１１１，１１２は、基板１００と共に一度にスタンプされた部品の部分である。基板１００は、はんだ接合５２によってサポート５０上に配置されている。サポート５０は、例えばプリント回路基板である。絶縁ピアスコンタクト１０１，１０２、第１の係止要素１１１，１１２及び共通のスタンプされた部品としての基板１００は、容易で、短時間の生産を可能にする。
【００２１】
更に、金属部品である係止要素１１１，１１２は、従来から知られているプラスチック部品の係止要素よりも実質的に強度が強い。これらの絶縁ピアスコンタクト１０１，１０２及び係止要素１１１，１１２は、図１ｂに示されているように、最後の実装工程においてフード要素２００によって覆われる。フード要素２００は、ケーブル導体を受け入れるための二つの整列した孔２１０を備え、後側の孔は図１ｂの斜視図に示されていない。フード要素２００は、平坦面であり、かつ、例えば、自動化部品の配置に使用される吸い込みピペットを受け入れるために使用される領域２０５を備える。従って、フード要素２００は、自動化生産で非常に有効に使用されることができる。フード要素２００は、構成部品の配置の方向を示す三つの側でベベル２２０を備える。更に、フード要素は、その上面において、異なる形状及び配置の孔２３１，２３２，２３３，２３４を有する。これらの孔は、例えば、構成要素の方向を短時間に認識するのに使用される。孔２３３，２３４は、第１の係止要素１１１，１１２のための係止孔であり、孔２３１，２３２は絶縁ピアスコンタクトに対応し、それらの安定化のために使用される。
【００２２】
図２ａ及び２ｂは、本考案による装置によって一つの導体３００の保持及び電気的接合の手順を示す。一つの導体３００は、最初に、フード要素２００の整列された孔を通って案内される。フード要素の孔２１０は、一つの導体３００の外形に合わせて調整され、一つの導体３００が孔内で多少動くようにすることに留意しなければならない。フード要素２００内の一つの導体３００の位置決めの結果として、ケーブル導体３００の案内及び正確な位置決めは、絶縁ピアスコンタクト１０１，１０２について得られる。フード要素に配置されたケーブル導体３００を含むフード要素２００は、プリント回路基板５０に実質的に垂直に方向付けされた圧力を生ずることによって、係止要素１１１，１１２の方向に押される。これによって、係止要素１１１，１１２はそれぞれの係止孔２３３，２３４に係合し、同時に、ケーブル導体３００の電気的接合が絶縁ピアスコンタクト１０１，１０２によって行われて、絶縁ピアスコンタクト１０１，１０２が絶縁ジャケット３０１を切り裂き、ケーブル導体の撚り線３０２と絶縁ピアスコンタクト１０１，１０２とが電気的に接触する。図２ｂは、プリント回路基板５０上に容易に実装されたフード要素を示す。ケーブル導体の接続芯線、すなわち撚り線３０２は、絶縁ピアスコンタクト１０１，１０２によって電気的に接続している。
【００２３】
図３は、本考案による装置の他の実施形態を示す。同じ要素は、図１及び２で示す同じ参照符号が与えられている。図１及び２で示すフード要素とは対照的に、図３のフード要素２００’は、ケーブル導体のケーブル端部を保護し、それを絶縁し、端部カバーを形成し、ベベル２２０によって示された位置決め方向に実質的に交差して延びるケーブルストップ２６０を備える。ケーブルストップは、フード要素２００’と一体的に配置されることが好ましく、フード要素２００’のようにプラスチックで構成され、絶縁性を有する。ケーブルストップは、フードエレメント２００’の前側ハウジング部分を完全には覆わないが、ケーブル導体３００の端部及び孔２１０内での配置が見えるようにする目的のために小さい孔を残す。ケーブル導体３００の前側部分の絶縁と保護が得られるように配置される。ケーブルストップ２６０はフード要素２００’の前面においてＵ字状に延びており、ケーブル導体は孔から僅かに突出し、確実な位置決めとケーブル導体３００（図示せず）の配置を保証する。
【図１ａ】
0003200755.tif 000003
【図１ｂ】
0003200755.tif 000004
【図２ａ】
0003200755.tif 000005
【図２ｂ】
0003200755.tif 000006
【図３】
0003200755.tif 000007